(57)【要約】    【課題】ＬＣＤモニターの応答時間を短縮できる駆動方法を提供する。    【解決手段】非対称ＬＣＤモニターのピクセルを駆動する駆動方法。ピクセルの充電時間は、第一の部分充電時間と第二の部分充電時間とに分割されている。先ず第一の部分充電時間に第一の駆動電圧でピクセルが駆動される。次に第二の部分充電時間に、第二の駆動電圧でピクセルが駆動される。第一の駆動電圧は第二の駆動電圧よりも高く、第一の部分充電時間は第二の部分充電時間よりも短い。【選択図】図３
2005043887.tif 000002
【特許請求の範囲】
【請求項１】
液晶ディスプレーモニターのピクセルを非対称に駆動する方法であって、前記ピクセルの充電時間が第一の部分充電時間と第二の充電時間とに分割され、
前記第一の部分充電時間に第一の駆動電圧で前記ピクセルを駆動するステップと、
前記第二の部分充電時間に第二の駆動電圧で前記ピクセルを駆動するステップとを含み、
前記第一の駆動電圧は前記第二の駆動電圧よりも高く、前記第一の部分充電時間は前記第二の部分充電時間よりも短い、方法。
【請求項２】
前記第一の部分充電時間の前記第二の部分充電時間に対する時間の比が１：２である、請求項１記載の方法。
【発明の詳細な説明】
【技術分野】
【０００１】
本発明はＬＣＤ（液晶ディスプレー）モニターの駆動方法に関し、さらに詳しくは、ＬＣＤモニターの非対称駆動方法に関する。
【背景技術】
【０００２】
本発明は２００３年７月２５日出願の台湾特許出願第０９２１２０４６０号の利益を主張するものであり、その内容は本明細書に引用により組み込まれるものとする。
技術の進歩および創造と共に、ディスプレー技術は目覚ましい発達を遂げた。モニターを例に取ると、従来のＣＲＴ（陰極線管）モニターはかさばることおよび輻射がひどいために、高級モニター市場から次第に消えていった。代わってＬＣＤ、有機発光ダイオード（ＯＬＥＤ）モニターまたはプラズマディスプレーパネル（ＰＤＰ）のような輻射が少なくて電力消費が小さい小型のフラットパネルディスプレーが開発されてきた。
【０００３】
ディスプレーのモニターはマトリックス状に配列された複数の輝点からなるが、この輝点はピクセルと呼ばれる。ピクセルはモニターの中で最も基本的な単位である。各ピクセルの表示輝度を決定する駆動電圧は、モニターに入力されるピクセルデータに従って発生される。モニターは、水平同期信号Ｈｓおよび垂直同期信号Ｖｓに従ってフレームを表示する。水平同期信号Ｈｓはカラー表示をするための１秒ごとのピクセルの行数を決定することができる。入力ピクセルデータに対応するピクセルがモニターのピクセルの最後の行である場合、モニターの最初のピクセル行に戻り、ピクセルデータに従ってフレームを表示するように垂直同期信号Ｖｓによる制御が行われる。従って垂直同期信号Ｖｓは各フレームの表示時間を決定することができ、隣接する２つの垂直同期信号の間の時間間隔はフレーム時間として定義される。
【０００４】
人間の目には残像効果という現象があるので、モニターのフレームをリフレッシュするスピードが所定の値よりも速い場合は、素早くリフレッシュするフレームは人間の目には素早くちらつくフレームと感じられる。モニター上の異なるフレームをリフレッシュするスピードはリフレッシュ速度（レート）と呼ばれるが、これは垂直同期信号Ｖｓの周波数に対応する。現在、典型的なコンピュータホストのフレームリフレッシュ速度は６０Ｈｚよりも高い。すなわち、モニターは少なくとも６０組のフレームデータを表示でき、各フレーム時間は１６.７ｍｓ未満である。解像度が１０２４×７６８のＬＣＤモニターを例に取ると、各ピクセルの充電（チャージ）時間は１６.７ｍｓ／７６８＝２２μｓとなる。
【０００５】
ＬＣＤモニターでは、各ピクセルが液晶を含んでいる。ピクセルの液晶の光に対する透明度Ｔは、ピクセルが異なる輝度を表すように、ピクセルに印加される駆動電圧に応じて変化する。液晶の応答時間は長いので、駆動電圧が目標駆動電圧ＶＤに達した直後に液晶の透明度が目標駆動電圧ＶＤに対応する所望の目標透明度ＴＤに達することはできない。図１Ａはピクセル（ｉ，ｊ）の駆動電圧を示すグラフであり、ここで横軸は時間ｔを表す。ピクセル（ｉ，ｊ）に印加された駆動電圧は素早く立ち上がって目標駆動電圧ＶＤに達する。図１Ｂは、図１Ａの駆動電圧によるピクセル（ｉ，ｊ）の透明度Ｔを示すグラフである。ピクセル（ｉ，ｊ）の液晶の透明度Ｔは、ピクセル（ｉ，ｊ）に駆動電圧が印加されるまでは立ち上がらない。しかし目標透明度ＴＤに達するには長い立ち上がり時間ｔ１を要する。
【０００６】
液晶の応答速度を速くするために従来採用された方法は、例えば目標駆動電圧ＶＤよりも高いオーバードライブ電圧Ｖｏを与えて、液晶が目標透明度ＴＤに達する立ち上がり時間を短くすることであった。図２Ａはオーバードライブ電圧Ｖｏが印加されたときのピクセル（ｉ，ｊ）の駆動電圧を示すグラフである。図２Ｂは図２Ａの駆動電圧によるピクセル（ｉ，ｊ）の液晶の透明度Ｔを示すグラフであり、ここで目標透明度ＴＤには時刻ｔ２に到達できる。図から、オーバードライブ電圧Ｖｏを与えることにより液晶の応答時間を短くできることが分かる。しかしオーバードライブ電圧Ｖｏの大きさは簡単には制御できない。オーバードライブ電圧Ｖｏが高すぎると、最終的な透明度Ｔが目標透明度ＴＤよりも高くなる可能性があり、一方オーバードライブ電圧Ｖｏが低すぎると、液晶の応答速度を十分に高くできない。
【０００７】
更に、オーバードライブによる方法では、リフレッシュ速度を加速の上限として取ることしかできず、そのため加速を更に増すにはリフレッシュ速度を大きくしなければならない。従って、各ピクセルの充電時間が大幅に短縮され、薄膜トランジスタの寸法を大きくしなければならず、また走査線のゲートラインを広くして、インピーダンスを低減できるようにしなければならない。しかしそれにより開口比は減少する。
【発明の開示】
【発明が解決しようとする課題】
【０００８】
そこで本発明の目的は、ＬＣＤモニターの応答時間を短縮できる駆動方法を提供することである。
【課題を解決するための手段】
【０００９】
上記の目的を達成するために、本発明はＬＣＤモニターのピクセルを非対称に駆動する駆動方法を提供する。ピクセルの充電（チャージ）時間は、第一の部分充電時間と第二の部分充電時間に分割される。まず、第一の部分充電時間にピクセルは第一の駆動電圧で駆動される。次に第二の部分充電時間に、ピクセルは第二の駆動電圧で駆動される。第一の駆動電圧は第二の駆動電圧よりも高く、第一の部分充電時間は第二の部分充電時間よりも短い。
【００１０】
本発明の他の目的、特徴および利点は、以下に述べる好適なしかし限定的でない実施形態の詳細な説明から明らかになるであろう。
【発明を実施するための最良の形態】
【００１１】
以下、添付の図面を参照して説明する。
本発明の精神は、ピクセルの充電時間を第一の部分充電時間と第二の部分充電時間とを含む２つの部分に非対称に分割することである。図３は本発明の好適な実施形態によるＬＣＤモニターに対する非対称駆動方法を示すフローチャートである。解像度が１０２４×７６８でリフレッシュ速度（レート）が６０ＨｚのＬＣＤモニターを例に取ると、１つのピクセルの充電時間ｔｃが（１／６０）／７６８＝２２μｓとなるように毎回同じピクセルの行が充電される。ｉを１０２４以下の正の整数、ｊを７６８以下の正の整数として、ＬＣＤモニターの１つのピクセル（ｉ，ｊ）の駆動例を説明する。図４に示した駆動電圧のグラフも参照されたい。第一の部分充電時間はｔｃ１であり、第二の充電時間は時刻ｔｃ１から時刻ｔｃまでである。まず、第一の部分充電時間に、ステップ３０１に示すように、ピクセル（ｉ，ｊ）は第一の駆動電圧ＶD1で駆動される。次に第二の部分充電時間に、ステップ３０２に示すように、ピクセル（ｉ，ｊ）は第二の駆動電圧ＶD2で駆動される。
【００１２】
図５Ａおよび図５Ｂはピクセルの透明度を示すグラフである。この実施形態における第一の部分充電時間の第二の部分充電時間に対する比は１：２である。図５Ａにおいて第一の駆動電圧ＶD1は、当該ピクセルの最大透明度が目標透明度ＴＤよりも高くなるようなものとする。図５Ｂにおいて第一の駆動電圧ＶD1は、当該ピクセルの最大透明度が目標透明度ＴＤよりも低くなるようなものとする。図５Ａおよび図５Ｂの透明度Ｔの曲線は異なるが、人間の目に対するピクセルのディスプレー効果は同じであると見なすことができる。第一の部分充電時間における第一の駆動電圧ＶD1は、そのピクセルの液晶の応答時間を決めるためのものであり、応答時間は非常に短いので人間の目が受ける印象には大きな影響を及ぼさない。従って、第一の駆動電圧ＶD1は対応する透明度の精度が９０％となるようなものであれば十分である。第二の部分充電時間はもっと長く、従ってその第二の駆動電圧ＶD2はピクセルの液晶の透明度を決めることができる。かくして本発明では、表示品質に影響を与えずに液晶の応答時間を短縮できる。
【００１３】
本発明の実施形態によるＬＣＤモニターに対する非対称駆動方法は、表示品質に影響を与えずに液晶の応答時間を短縮できる。更に、液晶パネルの設計（ゲートライン、または薄膜トランジスタの寸法）を変更する必要はなく、従って研究および開発のスピードが加速される。
本発明を例および好適な実施形態により説明してきたが、本発明はそれらに限定されるものではないことを理解すべきである。様々な変更と同様の構成および手順とが含まれ、従ってかかる変更と同様の構成および手順とを全て含むように、添付の特許請求の範囲を最大限に広く解釈すべきである。
【図面の簡単な説明】
【００１４】
【図１Ａ】ピクセルの駆動電圧を示すグラフである。
【図１Ｂ】図１Ａの駆動電圧によるピクセルの透明度を示すグラフである。
【図２Ａ】ピクセルにオーバードライブ電圧が印加されたときのピクセルの駆動電圧を示すグラフである。
【図２Ｂ】図２Ａの駆動電圧によるピクセルの透明度を示すグラフである。
【図３】本発明の好適な実施形態によるはＬＣＤモニターに対する非対称駆動方法を示すフローチャートである。
【図４】ピクセルの駆動電圧を示すグラフである。
【図５Ａ】ピクセルの透明度を示すグラフである。
【図５Ｂ】ピクセルの透明度を示すグラフである。
【図１Ａ】
2005043887.tif 000003
【図１Ｂ】
2005043887.tif 000004
【図２Ａ】
2005043887.tif 000005
【図２Ｂ】
2005043887.tif 000006
【図３】
2005043887.tif 000007
【図４】
2005043887.tif 000008
【図５Ａ】
2005043887.tif 000009
【図５Ｂ】
2005043887.tif 000010
【外国語明細書】
2005043887.tif 000011
2005043887.tif 000012
2005043887.tif 000013
2005043887.tif 000014
2005043887.tif 000015
2005043887.tif 000016
2005043887.tif 000017
2005043887.tif 000018
2005043887.tif 000019
【図１Ａ】
2005043887.tif 000020
【図１Ｂ】
2005043887.tif 000021
【図２Ａ】
2005043887.tif 000022
【図２Ｂ】
2005043887.tif 000023
【図３】
2005043887.tif 000024
【図４】
2005043887.tif 000025
【図５Ａ】
2005043887.tif 000026
【図５Ｂ】
2005043887.tif 000027